【事件の表示】
　上記当事者間の国際登録第１００４２２１号商標の登録取消審判事件について、次のとおり審決する。
【結論】
　国際登録第１００４２２１号商標の指定商品及び指定役務中、第７類「全指定商品」についての商標登録を取り消す。
　審判費用は、被請求人の負担とする。
【理由】
１　本件商標
　本件国際登録第１００４２２１号商標（以下「本件商標」という。）は、別掲のとおりの構成からなり、２００９（平成２１）年４月３日にＥｕｒｏｐｅａｎ　Ｕｎｉｏｎにおいてした商標登録出願に基づきパリ条約第４条による優先権を主張して同年５月６日に国際商標登録出願され、第７類「Ｍａｃｈｉｎｅｓ　ｆｏｒ　ｗａｓｈｉｎｇ　ｃｌｏｔｈｅｓ，ｎａｍｅｌｙ　ｃｏｎｖｅｙｅｒｓ　ｆｏｒ　ｈａｎｇｉｎｇ　ｃｌｅａｎｅｄ　ｃｌｏｔｈｅｓ；ｃｏｎｖｅｙｅｒ　ｂｅｌｔｓ；ｂａｎｄ　ｃｏｎｖｅｙｅｒｓ，ｐｎｅｕｍａｔｉｃ　ｃｏｎｖｅｙｅｒｓ；ｃｅｎｔｒｉｆｕｇａｌ　ｍａｃｈｉｎｅｓ；ｃｌｏｔｈ　ｗａｓｈｉｎｇ　ｍａｃｈｉｎｅｓ；ｃｌｏｔｈ　ｗａｓｈｉｎｇ　ａｐｐａｒａｔｕｓ；ｃｏｍｂｉｎｅｄ　ｗａｓｈｉｎｇ　ａｎｄ　ｄｒｙｉｎｇ　ａｐｐａｒａｔｕｓ；ｔｅｘｔｉｌｅ　ｗａｓｈｉｎｇ　ｍａｃｈｉｎｅｓ　ｆｏｒ　ｉｎｄｕｓｔｒｉａｌ　ｐｕｒｐｏｓｅｓ．」並びに第９類、第３７類及び第４２類に属する商標登録原簿に記載のとおりの商品及び役務を指定商品及び指定役務として、平成２２年１０月１日に設定登録されたものである。
　そして本件審判の請求の登録は、平成２７年８月２５日にされたものである。
２　請求人の主張
　請求人は、結論同旨の審決を求め、その理由を以下のように述べ、甲第１号証及び甲第２号証を提出した。
　本件商標は、その指定商品及び指定役務中、第７類「全指定商品」について、継続して３年以上日本国内において商標権者、専用使用権者又は通常使用権者のいずれも使用した事実が存しないから商標法第５０条第１項の規定により取り消されるべきものである。
３　被請求人の答弁
　被請求人は、本件審判の請求は成り立たない、審判費用は請求人の負担とするとの審決を求めると答弁し、その理由を以下のように述べ、証拠方法として乙第１号証ないし乙第６号証を提出した。
　（１）「ＣＯＮＩＱＵＥ」は、本件商標に係る商標権者が提供する商品及び役務の名称である。商標権者は、日本における営業活動の一環として、日本語のパンフレットを作成頒布している（乙１）。日本語のパンフレットの５ないし９ページには、第７類の指定商品である「洗った服を吊り下げるためのコンベヤー」、「コンベヤーベルト」、「バンドコンベヤー」などの写真が掲載されている。
　パンフレットには、本件商標「ＣＯＮＩＱＵＥ」を青の小文字とし、かつ「ｑ」の字を装飾的に変形したロゴマークが記載されている。パンフレットの最終ページにはウェブサイトのアドレスを示す「ｗｗｗ．ｃｏｎｉｑｕｅ．ｓｅ」の文字が記載されている。これらのロゴマーク及びアドレス中の記載は、本件商標と文字の配列が同一であり、字体の変更により称呼、観念の違いが生じる余地もないから本件商標と社会通念上同一の商標である。
　また、このパンフレットが商標権者によって作成されたことは、最終ページの「Ｃｏｎｉｑｕｅ商標は、ＡＣＧ　Ｎｙｓｔｒｏｍ　ＡＢによって所有されています。」（「Ｎｙｓｔｒｏｍ」中の「ｏ」の表記は「オーウムラウト」を表す。）の文言より明らかである。
　（２）このパンフレットは、商標権者によって発注され、２００９年に請求書が発行されている（乙２）。これによれば、２５０部が製作されたことが見て取れる。パンフレットは、部数に余裕をもって印刷されるのが一般的であるから、本パンフレットはその後数年にわたり頒布されていたこと、すなわち、本件審判の請求登録日の３年前以降である２０１２年９月以降も頒布されていたことは明らかである。
　（３）商標権者は、日本で開催される国際クリーニング総合展示会において、本件商標「ＣＯＮＩＱＵＥ」を青の小文字とし、かつ「ｑ」の字を装飾的に変形したロゴマーク、すなわち上記パンフレット記載のロゴマークと同一のロゴマークを展示している（乙３）。写真の中央の２名の男性のすぐ右に、一部が隠れているが、上述のロゴマークが表示されている。同展示会における出展者は住商アイナックス株式会社（以下「アイナックス社」という。）であり、商標権者はアイナックス社よりブースの一部の提供を受けている。アイナックス社のブースに上記ロゴマークが展示されていることから、アイナックス社は事実上、本件商標の通常使用権の許諾を受けていたといえる。すなわち、同展示会において、通常使用権者による商標の使用がされていたといえる。なお、写真中にも、ブースの後方に指定商品「洗った服を吊り下げるためのコンベヤー」が見て取れる。
　（４）また、商標権者の提携会社であるイーアイディーシステム株式会社（以下「ＥＩＤ社」という。）は、商標権者と協働して「ＣＯＮＩＱＵＥ」に係る商品の日本における営業活動を行っている。乙第４号証はＥＩＤ社のウェブサイト（ｈｔｔｐ：／／ｗｗｗ．ｅｉｄｓｙｓｔｅｍ．ｃｏ．ｊｐ／）のプリントアウトであり、商標権者へのリンクが張られている。乙第５号証には商標権者とＥＩＤ社の間でやりとりされた電子メールのコピーを示している。これらの証拠から明らかなように、ＥＩＤ社は商標権者のために日本国内で営業活動を行っており、ＥＩＤ社を通して上記パンフレットが頒布されるなど、本件商標が使用されていたことが推認される。
　なお、商標権者の日本での営業活動は、現時点で確認されている範囲では以下のとおりである。
　・２００８年　３月　ＥＩＤ社のアレンジにより商標権者が顧客候補社を訪問
　・２００８年１２月　国際クリーニング総合展示会に参加
　・２００９年　３月　展示会のフォローアップとして再び顧客候補社を訪問
　・２００９年１１月　ＥＩＤ社と共同で、東京でセミナーを開催（約４０社、約１００名が参加。乙第６号証は、この時に使用された説明資料である。）
　・２０１０年１月　セミナーのフォローアップとして再び顧客候補社を訪問
　これらの展示会、セミナーを通じて、商標「ＣＯＮＩＱＵＥ」は、指定商品に関する広告として使用されている。
４　当審の判断
　（１）商標法第５０条による商標登録の取消審判の請求があったときは、同条第２項の規定により、被請求人において、その審判の請求の登録前３年（平成２４（２０１２）年８月２５日から平成２７（２０１５）年８月２４日までの期間。以下「要証期間」という。）以内に日本国内において商標権者、専用使用権者又は通常使用権者のいずれかがその請求に係る指定商品のいずれかについての登録商標の使用をしていることを証明し、又は使用をしていないことについて正当な理由があることを明らかにしない限り、その登録の取消しを免れない。
　（２）被請求人（商標権者）は、本件商標を使用している事実がある旨主張し、その証拠方法として乙第１号証ないし乙第６号証を提出しているので、以下検討する。
　ア　乙第１号証及び乙第２号証
　被請求人は、乙第１号証のパンフレットは、商標権者によって発注され、２００９年に請求書が発行されており（乙２）、２５０部が製作されたことが見てとれ、パンフレットは部数に余裕をもって印刷されるのが一般的であるから、本パンフレットはその後数年にわたり頒布されていたこと、すなわち、本件審判請求の登録日の３年前以降である２０１２年９月以降も頒布されていたことは明らかであると主張する。
　しかしながら、該証拠のみでは、乙第１号証のパンフレットが存在すること、及び２００９年の請求書が存在することが認められるとしても、該パンフレットが要証期間内に日本国内において使用されたことは何ら立証されていない。
　また、乙第２号証は、請求日が２００９年１０月２７日付け及び２００９年３月１６日付けのものがあるが、「２５０部が製作されたことが見て取れる。」との説明との関係が不明確である。
　イ　乙第３号証
　乙第３号証は、撮影日を始め、不明な点が多く、該号証に係る被請求人の主張を認めることはできない。
　ウ　乙第４号証ないし乙第６号証
　乙第４号証ないし乙第６号証に係る被請求人の主張によれば、商標権者の日本での営業活動は、現時点では、要証期間外である２００８年３月ないし２０１０年１月であり、本件商標が要証期間内に日本国内において使用されたことが立証されていない。
　エ　以上によれば、乙各号証は、日本国内において請求に係る商品についての本件商標の使用をしていることを何ら証明するものではないといわざるを得ない。
　被請求人は、その他、本件商標の使用に係る主張、立証を何ら行っていない。
　（３）以上のとおり、被請求人の答弁の全趣旨及び乙各号証を総合的に考察しても、被請求人は、本件審判の登録前３年以内に日本国内において商標権者、専用使用権者又は通常使用権者のいずれかが、審判請求に係る指定商品のいずれかについて登録商標の使用をしていることを被請求人が証明したということができないものである。
　また、被請求人は、本件商標を使用していないことについて正当な理由があることを明らかにしていないものである。
　したがって、本件商標の登録は、商標法第５０条の規定により、その指定商品及び指定役務中「結論掲記の商品」についての登録を取り消すべきものである。
　よって、結論のとおり審決する。